(57)【要約】【課題】放電抵抗が故障又は異常が発生した場合にも、インレットを引き抜いた後にすみやかに電源供給ライン間の電圧を低下させること。【解決手段】交流電圧のインレットＬ１ｂ、Ｌ２ｂ間に接続されたＸコンデンサＣｘの電荷を放電する放電回路において、直列に接続された抵抗Ｒｄ１１と抵抗Ｒｄ１２を備え、インレットＬ１ｂ、Ｌ２ｂ間に接続された第一回路と、直列に接続された抵抗Ｒｄ２１と抵抗Ｒｄ２２を備え、インレットＬ１ｂ、Ｌ２ｂ間に接続された第二回路と、を有し、第一回路の抵抗Ｒｄ１１と抵抗Ｒｄ１２の接続部と第二回路の抵抗Ｒｄ２１と抵抗Ｒｄ２２の接続部を接続する。【選択図】図１
2014045643.tif 000002
【特許請求の範囲】
【請求項１】
交流電圧の入力ライン間に接続された容量素子の電荷を放電する放電回路において、
直列に接続された複数の抵抗素子を備え、前記入力ライン間に接続された第一回路と、
直列に接続された複数の抵抗素子を備え、前記入力ライン間に接続された第二回路と、
を有し、
前記第一回路の複数の抵抗素子の接続部と前記第二回路の複数の抵抗素子の接続部を接続することを特徴とする放電回路。
【請求項２】
前記第一回路と前記第二回路の抵抗素子の数は２以上であることを特徴とする請求項１に記載の放電回路。
【請求項３】
前記第一回路と前記第二回路の複数の抵抗素子のいずれか１つが故障した場合、前記容量素子の電荷を所定値まで放電するための時間は１秒以下であることを特徴とする請求項１または２に記載の放電回路。
【請求項４】
前記第一回路の複数の抵抗素子及び前記第二回路の複数の抵抗素子の抵抗値は同じであることを特徴とする請求項１乃至３のいずれか１項に記載の放電回路。
【請求項５】
前記第一回路の複数の抵抗素子の接続部と前記第二回路の複数の抵抗素子の接続部を抵抗素子を介して接続することを特徴とする請求項１乃至４のいずれか１項に記載の放電回路。
【請求項６】
交流電圧の入力ライン間に接続された容量素子と、
前記交流電圧を整流及び平滑して出力する整流平滑手段と、
直列に接続された複数の抵抗素子を備え、前記入力ライン間に接続された第一回路と、
直列に接続された複数の抵抗素子を備え、前記入力ライン間に接続された第二回路と、
を有し、
前記第一回路の複数の抵抗素子の接続部と前記第二回路の複数の抵抗素子の接続部を接続することを特徴とする電源装置。
【請求項７】
前記第一回路と前記第二回路の抵抗素子の数は２以上であることを特徴とする請求項６に記載の電源装置。
【請求項８】
前記第一回路と前記第二回路の複数の抵抗素子のいずれか１つが故障した場合、前記容量素子の電荷を所定値まで放電するための時間は１秒以下であることを特徴とする請求項６または７に記載の電源装置。
【請求項９】
前記第一回路の複数の抵抗素子及び前記第二回路の複数の抵抗素子の抵抗値は同じであることを特徴とする請求項６乃至８のいずれか１項に記載の電源装置。
【請求項１０】
前記第一回路の複数の抵抗素子の接続部と前記第二回路の複数の抵抗素子の接続部を抵抗素子を介して接続することを特徴とする請求項６乃至９のいずれか１項に記載の電源装置。
【請求項１１】
記録材に画像を形成する画像形成装置において、
画像を形成するための画像形成手段と、
前記画像形成装置に電力を供給する電源と、を有し、
前記電源は、交流電圧の入力ライン間に接続された容量素子と、前記交流電圧を整流及び平滑して出力する整流平滑手段と、直列に接続された複数の抵抗素子を備え、前記入力ライン間に接続された第一回路と、直列に接続された複数の抵抗素子を備え、前記入力ライン間に接続された第二回路と、を有し、前記第一回路の複数の抵抗素子の接続部と前記第二回路の複数の抵抗素子の接続部を接続することを特徴とする画像形成装置。
【請求項１２】
前記第一回路と前記第二回路の抵抗素子の数は２以上であることを特徴とする請求項１１に記載の画像形成装置。
【請求項１３】
前記第一回路と前記第二回路の複数の抵抗素子のいずれか１つが故障した場合、前記容量素子の電荷を所定値まで放電するための時間は１秒以下であることを特徴とする請求項１１または１２に記載の画像形成装置。
【請求項１４】
前記第一回路の複数の抵抗素子及び前記第二回路の複数の抵抗素子の抵抗値は同じであることを特徴とする請求項１１乃至１３のいずれか１項に記載の画像形成装置。
【請求項１５】
前記第一回路の複数の抵抗素子の接続部と前記第二回路の複数の抵抗素子の接続部を抵抗素子を介して接続することを特徴とする請求項１１乃至１４のいずれか１項に記載の画像形成装置。
【請求項１６】
前記画像形成手段を駆動する駆動手段と、
前記駆動手段の動作を制御するコントローラと、を有し、
前記電源は、前記コントローラに電力を供給することを特徴とする請求項１１乃至１５のいずれか１項に記載の画像形成装置。
【請求項１７】
交流電圧の入力ライン間に接続された容量素子の電荷を放電する放電回路において、
前記容量素子と並列に接続され、且つ、前記入力ライン間に接続された複数の抵抗素子を有し、
前記交流電圧の入力が停止した際に、前記複数の抵抗素子は、前記容量素子に蓄積された電荷を放電する複数の放電経路を形成することを特徴とする放電回路。
【請求項１８】
交流電圧の入力ライン間に接続された容量素子と、
前記交流電圧を整流及び平滑して出力する整流平滑手段と、
前記容量素子と並列に接続され、且つ、前記入力ライン間に接続された複数の抵抗素子と、を有し、
前記交流電圧の入力が停止した際に、前記複数の抵抗素子は、前記容量素子に蓄積された電荷を放電する複数の放電経路を形成することを特徴とする電源装置。
【請求項１９】
記録媒体に画像を形成する画像形成装置において、
画像を形成するための画像形成手段と、
前記画像形成装置に電力を供給する電源と、を有し、
前記電源は、交流電圧の入力ライン間に接続された容量素子と、前記交流電圧を整流及び平滑して出力する整流平滑手段と、前記容量素子と並列に接続され、且つ、前記入力ライン間に接続された複数の抵抗素子と、を有し、前記交流電圧の入力が停止した際に、前記複数の抵抗素子は、前記容量素子に蓄積された電荷を放電する複数の放電経路を形成することを特徴とする画像形成装置。
【発明の詳細な説明】
【技術分野】
【０００１】
本発明は、商用交流電源に接続される放電回路、電源装置及びその電源装置を搭載した画像形成装置に関する。
【背景技術】
【０００２】
図５（ａ）は、従来の電源装置を備える電子機器である。尚、符号の詳細は後述する実施例で説明する。このような構成の電子機器では、アウトレットＬ１ａ，Ｌ２ａからインレットＬ１ｂ，Ｌ２ｂを引き抜いた際、電力供給ライン間（以下、インレットＬ１ｂ，Ｌ２ｂ間という）にはアクロス・ザ・ライン・コンデンサ（以下、Ｘコンデンサ）Ｃｘに充電された電圧が観測される。しかし、インレットＬ１ｂ，Ｌ２ｂを引き抜いた後、インレットＬ１ｂ，Ｌ２ｂ間に長時間に渡って高い電圧が発生していることは望ましくない。そこで、ＸコンデンサＣｘと並列に放電抵抗Ｒｄ１を設けることが知られている（例えば、特許文献１参照）。
【０００３】
インレットＬ１ｂ，Ｌ２ｂを引き抜いた後の、インレットＬ１ｂ，Ｌ２ｂ間の電圧波形を図５（ｂ）に示す。図５（ｂ）の横軸は時間、縦軸はインレットＬ１ｂ，Ｌ２ｂ間の電圧を示す。時刻ｔ＝０でインレットＬ１ｂ，Ｌ２ｂをアウトレットＬ１ａ，Ｌ２ａから引き抜くと、インレットＬ１ｂ，Ｌ２ｂ間には、最大で＋Ｖｐｋ（商用交流電源電圧のピーク値）が発生する。この電圧はＸコンデンサＣｘに充電された電圧であり、その後、放電抵抗Ｒｄ１を介して放電され低下していく。この電圧低下曲線は、所謂ＲＣ放電曲線であり、インレットＬ１ｂ，Ｌ２ｂ間の電圧Ｖ（ｔ）、時刻ｔを用いて、概ね次式で表される。
2014045643.tif 000003
式（１）中のτは時定数と呼ばれる値であり、放電抵抗Ｒｄ１の抵抗値をｒ０、ＸコンデンサＣｘの静電容量をｃとして、概ね次式で表される。
2014045643.tif 000004
【０００４】
一般に、インレットＬ１ｂ，Ｌ２ｂを引き抜いて１秒後のインレットＬ１ｂ，Ｌ２ｂ間の電圧Ｖ（１ｓｅｃ）が、初期値Ｖｐｋの３６．８％（＝ｅ−１：定数ｅはネイピア数）以下になること（次式）が望ましい。
2014045643.tif 000005
従って、時定数τは、１以下であること（次式）が望ましい。
2014045643.tif 000006
尚、放電抵抗Ｒｄ１で消費される電力Ｐは、商用交流電源電圧が正弦波である場合、概ね次式で表される。
2014045643.tif 000007
【０００５】
仮に、ＸコンデンサＣｘの静電容量ｃ＝１．０［ｕＦ］、商用交流電源電圧のピーク値が３２５［Ｖｄｃ］（＝ＡＣ２３０［Ｖｒｍｓ］×√２）であった場合、式（４）より、放電抵抗Ｒｄ１の抵抗値ｒ０≒１．０［ＭΩ］以下であることが望ましい。この場合、式（５）より、Ｐ≒５３［ｍＷ］となる。
【０００６】
このような構成では、放電抵抗Ｒｄ１がオープン故障した場合、又は、放電抵抗Ｒｄｉの抵抗素子に異常が発生して放電機能が低下した場合等は、インレットＬ１ｂ，Ｌ２ｂを引き抜いた後に、ＸコンデンサＣｘの放電に長い時間を要することとなる。この場合、長時間に渡って、インレットＬ１ｂ，Ｌ２ｂ間に高い電圧が発生する。
【先行技術文献】
【特許文献】
【０００７】
【特許文献１】特開２００１−３０６１６０号公報
【発明の概要】
【発明が解決しようとする課題】
【０００８】
しかし、放電抵抗が故障又は異常が発生した場合にも、インレットを引き抜いた後にすみやかに電源供給ライン間の電圧を低下させることが望ましい。
【０００９】
本発明は、このような状況のもとでなされたもので、放電抵抗が故障又は異常が発生した場合にも、インレットを引き抜いた後にすみやかに電源供給ライン間の電圧を低下させることを目的とする。
【課題を解決するための手段】
【００１０】
前述の課題を解決するために、本発明は以下の構成を備える。
【００１１】
（１）交流電圧の入力ライン間に接続された容量素子の電荷を放電する放電回路において、直列に接続された複数の抵抗素子を備え、前記入力ライン間に接続された第一回路と、直列に接続された複数の抵抗素子を備え、前記入力ライン間に接続された第二回路と、を有し、前記第一回路の複数の抵抗素子の接続部と前記第二回路の複数の抵抗素子の接続部を接続することを特徴とする放電回路。
【００１２】
（２）交流電圧の入力ライン間に接続された容量素子と、前記交流電圧を整流及び平滑して出力する整流平滑手段と、直列に接続された複数の抵抗素子を備え、前記入力ライン間に接続された第一回路と、直列に接続された複数の抵抗素子を備え、前記入力ライン間に接続された第二回路と、を有し、前記第一回路の複数の抵抗素子の接続部と前記第二回路の複数の抵抗素子の接続部を接続することを特徴とする電源装置。
【００１３】
（３）記録材に画像を形成する画像形成装置において、画像を形成するための画像形成手段と、前記画像形成装置に電力を供給する電源と、を有し、前記電源は、交流電圧の入力ライン間に接続された容量素子と、前記交流電圧を整流及び平滑して出力する整流平滑手段と、直列に接続された複数の抵抗素子を備え、前記入力ライン間に接続された第一回路と、直列に接続された複数の抵抗素子を備え、前記入力ライン間に接続された第二回路と、を有し、前記第一回路の複数の抵抗素子の接続部と前記第二回路の複数の抵抗素子の接続部を接続することを特徴とする画像形成装置。
【００１４】
（４）交流電圧の入力ライン間に接続された容量素子の電荷を放電する放電回路において、前記容量素子と並列に接続され、且つ、前記入力ライン間に接続された複数の抵抗素子を有し、前記交流電圧の入力が停止した際に、前記複数の抵抗素子は、前記容量素子に蓄積された電荷を放電する複数の放電経路を形成することを特徴とする放電回路。
【００１５】
（５）交流電圧の入力ライン間に接続された容量素子と、前記交流電圧を整流及び平滑して出力する整流平滑手段と、前記容量素子と並列に接続され、且つ、前記入力ライン間に接続された複数の抵抗素子と、を有し、前記交流電圧の入力が停止した際に、前記複数の抵抗素子は、前記容量素子に蓄積された電荷を放電する複数の放電経路を形成することを特徴とする電源装置。
【００１６】
（６）記録媒体に画像を形成する画像形成装置において、画像を形成するための画像形成手段と、前記画像形成装置に電力を供給する電源と、を有し、前記電源は、交流電圧の入力ライン間に接続された容量素子と、前記交流電圧を整流及び平滑して出力する整流平滑手段と、前記容量素子と並列に接続され、且つ、前記入力ライン間に接続された複数の抵抗素子と、を有し、前記交流電圧の入力が停止した際に、前記複数の抵抗素子は、前記容量素子に蓄積された電荷を放電する複数の放電経路を形成することを特徴とする画像形成装置。
【発明の効果】
【００１７】
本発明によれば、放電抵抗が故障又は異常が発生した場合にも、インレットを引き抜いた後にすみやかに電源供給ライン間の電圧を低下させることができる。
【図面の簡単な説明】
【００１８】
【図１】実施例１の電源装置の構成を示す図
【図２】実施例２の電源装置の構成を示す図
【図３】実施例３の電源装置の構成を示す図
【図４】実施例４の画像形成装置の構成を示す図
【図５】従来例の電源装置の構成を示す図、放電曲線を示すグラフ
【図６】実施例１〜３の電源装置の前提となる構成を示す図
【発明を実施するための形態】
【００１９】
以下本発明を実施するための形態を、実施例により詳しく説明する。
【００２０】
本発明の電源装置の前提となる構成について図６に基づき説明する。図６に示すように放電抵抗を２本（Ｒｄ１，Ｒｄ２）並列に接続すれば、いずれか一方がオープン故障した場合、他方でＸコンデンサＣｘの放電を担うことができる。
【００２１】
図６のように放電抵抗を２本並列に接続する構成の場合、次のようになることが望ましい。即ち、放電抵抗Ｒｄ１，Ｒｄ２のいずれか一方がオープン故障した場合でも、インレットＬ１ｂ，Ｌ２ｂを引き抜いた１秒後のインレットＬ１ｂ，Ｌ２ｂ間の電圧Ｖ（１ｓｅｃ）が、初期値Ｖｐｋの３６．８％（＝ｅ−１）以下になることが望ましい。ここで、Ｒｄ１の抵抗値＝Ｒｄ２の抵抗値＝ｒ１とすると、次式を満たすことが望ましい。
2014045643.tif 000008
【００２２】
一方、正常状態即ち放電抵抗Ｒｄ１，Ｒｄ２ともにオープン故障していない状態で放電抵抗Ｒｄ１，Ｒｄ２により消費される電力Ｐ’は、概ね次式で表される。
2014045643.tif 000009
仮に、ＸコンデンサＣｘの静電容量ｃ＝１．０［ｕＦ］、商用交流電源電圧のピーク値が３２５［Ｖｄｃ］（＝ＡＣ２３０［Ｖｒｍｓ］×√２）であった場合、式（６）より、Ｒｄ１，Ｒｄ２の抵抗値はｒ１≒１．０［ＭΩ］以下であることが望ましい。この場合、式（７）より、Ｐ’≒１０７［ｍＷ］となる。即ち、放電抵抗が２本並列に接続されている場合の正常状態における消費電力Ｐ’（≒１０７［ｍＷ］）が、放電抵抗が１本接続されている場合の消費電力Ｐ（≒５３［ｍＷ］）の２倍となる。このように、放電抵抗を２本（Ｒｄ１，Ｒｄ２）並列に接続した場合、放電抵抗での消費電力が大きくなるという課題がある。
【００２３】
以下に、放電抵抗を複数設けてオープン故障に対応し、且つ、放電抵抗の消費電力を低減するための構成例について説明する。
【実施例１】
【００２４】
図１に、実施例１の電源装置を示す。電源装置は、商用交流電源Ｖａｃの出力端子であるアウトレットＬ１ａ，Ｌ２ａに接続されたインレットＬ１ｂ（第一入力端子），Ｌ２ｂ（第二入力端子）から、商用交流電源Ｖａｃの電力供給を受ける。インレットＬ１ｂ，Ｌ２ｂの間には、商用交流電源電圧に重畳されたノイズが電源装置に入力するのを抑制するために、アクロス・ザ・ライン・コンデンサ（所謂Ｘコンデンサ）Ｃｘが接続されている。電源装置に供給された商用交流電源電圧は、ダイオードＤ１０１，Ｄ１０２，Ｄ１０３，Ｄ１０４からなるブリッジ回路ＤＡ１で整流され、その後、一次電解コンデンサＣ１で平滑化され、概ね一定の直流電圧となる。この直流電圧は、本実施例の電源装置を備える電子機器等の負荷Ｌｏａｄに供給される。
【００２５】
本実施例では、インレットＬ１ｂ，Ｌ２ｂ間に、抵抗Ｒｄ１１（第一抵抗）と抵抗Ｒｄ１２（第二抵抗）を直列に接続する（以下、第一抵抗群という）。且つ、インレットＬ１ｂ，Ｌ２ｂ間に、抵抗Ｒｄ２１（第三抵抗）と抵抗Ｒｄ２２（第四抵抗）を直列に接続する（以下、第二抵抗群という）。即ち、第一抵抗群と第二抵抗群をＸコンデンサＣｘに並列に接続する。更に、抵抗Ｒｄ１１と抵抗Ｒｄ１２の接続箇所と、抵抗Ｒｄ２１と抵抗Ｒｄ２２の接続箇所を接続する。即ち、本実施例では、放電抵抗を形成する複数の抵抗をはしご（ラダー）状に接続する。尚、いずれの抵抗もオープン故障していない場合、放電抵抗Ｒｄ１１，Ｒｄ１２，Ｒｄ２１，Ｒｄ２２の抵抗値が全て等しいときには、抵抗Ｒｄ１１と抵抗Ｒｄ１２の接続箇所と、抵抗Ｒｄ２１と抵抗Ｒｄ２２の接続箇所は、同電位となる。これらの抵抗Ｒｄ１１，Ｒｄ１２，Ｒｄ２１，Ｒｄ２２を、ＸコンデンサＣｘの放電抵抗とする（以下、放電抵抗Ｒｄ１１，Ｒｄ１２，Ｒｄ２１，Ｒｄ２２という）。
【００２６】
ここで、放電抵抗Ｒｄ１１，Ｒｄ１２，Ｒｄ２１，Ｒｄ２２の抵抗値を、全てｒ２とした場合、放電抵抗Ｒｄ１１，Ｒｄ１２，Ｒｄ２１，Ｒｄ２２のいずれか１本がオープン故障した場合の時定数τは概ね次式で表される。
2014045643.tif 000010
いずれか一本がオープン故障した場合でも、インレットＬ１ｂ，Ｌ２ｂを引き抜いてから１秒後のインレットＬ１ｂ，Ｌ２ｂ間の電圧Ｖ（１ｓｅｃ）が、初期値Ｖｐｋの３６．８％（＝ｅ−１）以下になることが望ましい。即ち、次式を満たすことが望ましい。
2014045643.tif 000011
【００２７】
一方、正常状態即ち放電抵抗Ｒｄ１１，Ｒｄ１２，Ｒｄ２１，Ｒｄ２２のいずれもオープン故障していない状態において、放電抵抗Ｒｄ１１，Ｒｄ１２，Ｒｄ２１，Ｒｄ２２で消費される電力Ｐ’は、概ね次式で表される。
2014045643.tif 000012
仮に、ＸコンデンサＣｘの静電容量ｃ＝１．０［ｕＦ］、商用交流電源電圧のピーク値が３２５［Ｖｄｃ］（＝ＡＣ２３０［Ｖｒｍｓ］×√２）であったとする。この場合、式（９）より、放電抵抗Ｒｄ１１，Ｒｄ１２，Ｒｄ２１，Ｒｄ２２の抵抗値がｒ２≒６７０［ｋΩ］以下であることが望ましい。この場合、式（１０）より、Ｐ’≒７９［ｍＷ］となる。このように、本実施例のように構成することによって、図６で説明した、２本の放電抵抗が並列に接続されている場合の消費電力Ｐ’（≒１０７［ｍＷ］）よりも、正常状態における消費電力を低減することができる。
【００２８】
以上、本実施例によれば、放電抵抗が故障又は異常が発生した場合にも、インレットを引き抜いた後にすみやかに電源供給ライン間の電圧を低下させることができる。
【実施例２】
【００２９】
図２に、実施例２の電源装置を示す。図１等と同様の箇所には同じ符号を付し、説明を省略する。実施例１では、抵抗Ｒｄ１１，Ｒｄ１２，Ｒｄ２１，Ｒｄ２２で構成した放電抵抗を、本実施例ではｍ行ｎ列のマトリクス状に構成したことが特徴である。
【００３０】
具体的には次のような構成とする。即ち、抵抗Ｒｄ１１、抵抗Ｒｄ１２、・・・、抵抗Ｒｄ１ｎを直列に接続した抵抗群を第１直列抵抗群とし、抵抗Ｒｄ２１、抵抗Ｒｄ２２、・・・、抵抗Ｒｄ２ｎを直列に接続した抵抗群を第２直列抵抗群とする。更に、抵抗Ｒｄｍ１、抵抗Ｒｄｍ２、・・・、抵抗Ｒｄｍｎを直列に接続した抵抗群を第ｍ直列抵抗群とする。ここで、ｍ≧２且つｎ≧２である。そして、複数の抵抗群である第１直列抵抗群から第ｍ直列抵抗群までのｍ個の直列抵抗群を、ＸコンデンサＣｘに並列に接続する。そして、第１直列抵抗群における各抵抗間の接続箇所と、第２直列抵抗群における対応する各抵抗間の接続箇所とを、それぞれ接続する。同様に、第２直列抵抗群における各抵抗間の接続箇所と、第３直列抵抗群における対応する各抵抗間の接続箇所とを、それぞれ接続する。このように、第ｊ直列抵抗群における各抵抗間の接続箇所と、第（ｊ＋１）直列抵抗群における対応する各抵抗間の接続箇所とを、それぞれ接続する。即ち、各抵抗群の各抵抗の接続箇所と、各抵抗群に隣り合う抵抗群の各抵抗の対応する接続箇所とを接続する。ここで、１≦ｊ≦（ｍ−１）である。尚、いずれの抵抗もオープン故障していない場合、放電抵抗を構成する全ての抵抗の抵抗値が等しいときは、所定の接続箇所と、その所定の接続箇所に隣り合う接続箇所は、同電位となる。例えば、抵抗Ｒｄ２２と抵抗Ｒｄ２３の接続箇所と、抵抗Ｒｄ３２と抵抗Ｒｄ３３の接続箇所は、同電位となる。
【００３１】
以下、ｍ×ｎ個の抵抗をｍ行ｎ列のマトリクス状に接続した放電抵抗を、放電抵抗群Ｒｄｍｎという。放電抵抗群Ｒｄｍｎの抵抗値を、全てｒ３とした場合、いずれか１本がオープン故障した場合の合成抵抗値が［｛１／（ｍ−１）＋（ｎ−１）／ｍ｝×ｒ３］となるため、時定数τは概ね次式で表される。
2014045643.tif 000013
いずれか一本がオープン故障した場合でも、インレットＬ１ｂ，Ｌ２ｂを引き抜いた１秒後のインレットＬ１ｂ，Ｌ２ｂ間の電圧Ｖ（１ｓｅｃ）が、初期値Ｖｐｋの３６．８％（＝ｅ−１）以下になることが望ましい。即ち、次式を満たすことが望ましい。
2014045643.tif 000014
【００３２】
一方、正常状態即ちいずれの抵抗もオープン故障していない状態において、放電抵抗の合成抵抗値が（ｎ／ｍ×ｒ３）となるため、放電抵抗で消費される電力Ｐ’は、概ね次式で表される。
2014045643.tif 000015
仮に、ＸコンデンサＣｘの静電容量ｃ＝１．０［ｕＦ］、商用交流電源電圧のピーク値が３２５［Ｖｄｃ］（＝ＡＣ２３０［Ｖｒｍｓ］×√２）、ｍ＝５行、ｎ＝５列であったとする。この場合、式（１２）より、放電抵抗群Ｒｄｍｎの抵抗値ｒ３≒９５０［ｋΩ］以下であることが望ましい。この場合、式（１３）より、Ｐ’≒５６［ｍＷ］となる。このように、本実施例のように構成することによって、図６で説明した、２本の放電抵抗が並列に接続されている場合の消費電力Ｐ’（≒１０７［ｍＷ］）よりも、正常状態における消費電力を低減することができる。
【００３３】
尚、ｍとｎの値について、ｍ＝ｎ＝１とした場合は図５（ａ）と同じ構成となる。また、ｍ＝２、ｎ＝１とした場合は図６と同じ構成となる。更に、ｍ＝１、ｎ＝２とした場合は２本の抵抗を直列に接続した構成となり、２本の抵抗のいずれか１本がオープン故障を起こすと、放電できなくなる。このため、本実施例の放電抵抗群Ｒｄｍｎをマトリクス状に接続する構成においては、ｍ≧２且つｎ≧２とする。実施例１で説明した構成は、本実施例におけるｍ＝ｎ＝２の場合に相当する。
【００３４】
以上、本実施例によれば、放電抵抗が故障又は異常が発生した場合にも、インレットを引き抜いた後にすみやかに電源供給ライン間の電圧を低下させることができる。
【実施例３】
【００３５】
図３（ａ）に、実施例３の電源装置を示す。図１等と同様の箇所には同じ符号を付し、説明を省略する。インレットＬ１ｂ，Ｌ２ｂ間に、抵抗Ｒｄ１１と抵抗Ｒｄ１２を直列接続に接続し、且つ、インレットＬ１ｂ，Ｌ２ｂ間に、抵抗Ｒｄ２１と抵抗Ｒｄ２２を直列接続に接続する。本実施例では、更に抵抗Ｒｄ１１と抵抗Ｒｄ１２の接続箇所と、抵抗Ｒｄ２１と抵抗Ｒｄ２２の接続箇所を、抵抗Ｒｄ１１ｙを介して接続する。尚、抵抗Ｒｄ１１，Ｒｄ１２，Ｒｄ２１，Ｒｄ２２がオープン故障しておらず、且つ、全ての抵抗の抵抗値が等しい場合には、抵抗Ｒｄ１１と抵抗Ｒｄ１２の接続箇所と、抵抗Ｒｄ２１と抵抗Ｒｄ２２の接続箇所は、同電位となる。以上の抵抗Ｒｄ１１，Ｒｄ１２，Ｒｄ２１，Ｒｄ２２，Ｒｄ１１ｙを、ＸコンデンサＣｘの放電抵抗とする。
【００３６】
抵抗Ｒｄ１１，Ｒｄ１２，Ｒｄ２１，Ｒｄ２２，Ｒｄ１１ｙの抵抗値を、全てｒ４とした場合、抵抗Ｒｄ１１，Ｒｄ１２，Ｒｄ２１，Ｒｄ２２のいずれか１本がオープン故障した場合の時定数τａは概ね次式で表される。
2014045643.tif 000016
【００３７】
一方、抵抗Ｒｄ１１ｙがオープン故障した場合の時定数τｂは概ね次式で表される。
2014045643.tif 000017
いずれか一本がオープン故障した場合でも、インレットＬ１ｂ，Ｌ２ｂを引き抜いた１秒後のインレットＬ１ｂ，Ｌ２ｂ間の電圧Ｖ（１ｓｅｃ）が、初期値Ｖｐｋの３６．８％（＝ｅ−１）以下になることが望ましい。式（１４−ａ），式（１４−ｂ）より、τａ＞τｂであるから、次式を満たすことが望ましい。
2014045643.tif 000018
【００３８】
ここで、正常状態即ち抵抗Ｒｄ１１，Ｒｄ１２，Ｒｄ２１，Ｒｄ２２，Ｒｄ１１ｙのいずれもオープン故障していない状態において、放電抵抗で消費される電力Ｐ’は、概ね次式で表される。
2014045643.tif 000019
【００３９】
仮に、ＸコンデンサＣｘの静電容量ｃ＝１．０［ｕＦ］、商用交流電源電圧のピーク値が３２５［Ｖｄｃ］（＝ＡＣ２３０［Ｖｒｍｓ］×√２）であったとする。この場合、式（１５）より、抵抗Ｒｄ１１，Ｒｄ１２，Ｒｄ２１，Ｒｄ２２，Ｒｄ１１ｙの抵抗値ｒ４≒６００［ｋΩ］以下であることが望ましい。この場合、式（１６）より、Ｐ’≒８８［ｍＷ］となる。このように、本実施例のように構成することによって、図６で説明した、２本の放電抵抗が並列に接続されている場合の消費電力Ｐ’（≒１０７［ｍＷ］）よりも、正常状態における消費電力を低減することができる。
【００４０】
尚、図３（ｂ）に示すように、マトリクス状に抵抗を接続することで、さらに放電抵抗での消費電力を抑制することが可能である。即ち、実施例２で説明したように、抵抗Ｒｄｍ１、抵抗Ｒｄｍ２、・・・、抵抗Ｒｄｍｎを直列に接続した抵抗群を第ｍ直列抵抗群とし、第１直列抵抗群から第ｍ直列抵抗群までのｍ個の直列抵抗群を、ＸコンデンサＣｘに並列に接続する。本実施例では、第１直列抵抗群における各抵抗間の接続箇所と、第２直列抵抗群における対応する各抵抗間の接続箇所とを、それぞれ抵抗Ｒｄ１１ｙ，Ｒｄ１２ｙ、・・・、Ｒｄ１（ｎ−１）ｙを介して接続する。同様に、第２直列抵抗群における各抵抗間の接続箇所と、第３直列抵抗群における対応する各抵抗間の接続箇所とを、それぞれ抵抗Ｒｄ２１ｙ、Ｒｄ２２ｙ、・・・、Ｒｄ２（ｎ−１）ｙを介して接続する。このように、第ｊ直列抵抗群における各抵抗間の接続箇所と、第（ｊ＋１）直列抵抗群における対応する各抵抗間の接続箇所とを、それぞれ抵抗Ｒｄｊｋｙを介して接続する。即ち、各抵抗群の各抵抗の接続箇所と、各抵抗群に隣り合う抵抗群の各抵抗の対応する接続箇所とを、抵抗を介して接続する。ここで、１≦ｊ≦（ｍ−１）、１≦ｋ≦（ｎ−１）である。尚、いずれの抵抗もオープン故障していない場合、放電抵抗を構成する全ての抵抗の抵抗値が等しいときは、所定の接続箇所と、その所定の接続箇所に隣り合う接続箇所は、同電位となる。例えば、抵抗Ｒｄ２２と抵抗Ｒｄ２３の接続箇所と、抵抗Ｒｄ３２と抵抗Ｒｄ３３の接続箇所は、同電位となる。
【００４１】
図３（ｂ）のような構成においても、全ての抵抗の抵抗値が等しいとして、図３（ａ）と同様に考えることができる。この場合、第ｊ直列抵抗群を構成する抵抗のいずれか１本がオープン故障した場合と、各接続箇所を接続している抵抗Ｒｄｊｋｙがオープン故障した場合とに分けて考えることにより、図３（ａ）と同様に望ましい抵抗値を求めることができる。そして、正常状態における放電抵抗の消費電力Ｐ’を求めることができ、従来よりも正常状態における消費電力を低減することができることがわかる。
【００４２】
尚、本実施例は、各直列抵抗群の接続箇所間を、インピーダンスを介して接続する構成であれば抵抗に限定されない。各直列抵抗群の接続箇所間を、例えば、電界効果トランジスタ（ＦＥＴ）等の半導体素子を用いて特定の抵抗値を示すように構成された回路モジュールや、抵抗とインダクタを直列に組み合わせた素子等を介して接続する構成としてもよい。
【００４３】
以上、本実施例によれば、放電抵抗が故障又は異常が発生した場合にも、インレットを引き抜いた後にすみやかに電源供給ライン間の電圧を低下させることができる。
【実施例４】
【００４４】
実施例１〜３で説明した電源装置は、例えば画像形成装置の低圧電源、即ちコントローラ（制御部）やモータ等の駆動部へ電力を供給する電源として適用可能である。以下に、実施例１〜３の電源装置が適用される画像形成装置の構成を説明する。
【００４５】
［画像形成装置の構成］
画像形成装置の一例として、レーザビームプリンタを例にあげて説明する。図４に電子写真方式のプリンタの一例であるレーザビームプリンタの概略構成を示す。レーザビームプリンタ３００は、静電潜像が形成される像担持体としての感光ドラム３１１、感光ドラム３１１を一様に帯電する帯電部３１７（帯電手段）、感光ドラム３１１に形成された静電潜像をトナーで現像する現像部３１２（現像手段）を備えている。そして、感光ドラム３１１に現像されたトナー像をカセット３１６から供給された記録材としてのシート（不図示）に転写部３１８（転写手段）によって転写して、シートに転写したトナー像を定着器３１４で定着してトレイ３１５に排出する。この感光ドラム３１１、帯電部３１７、現像部３１２、転写部３１８が画像形成部である。また、レーザビームプリンタ３００は、実施例１〜３で説明した電源装置４００を備えている。尚、実施例１〜３の電源装置４００を適用可能な画像形成装置は、図４に例示したものに限定されず、例えば複数の画像形成部を備える画像形成装置であってもよい。更に、感光ドラム３１１上のトナー像を中間転写ベルトに転写する一次転写部と、中間転写ベルト上のトナー像をシートに転写する二次転写部を備える画像形成装置であってもよい。
【００４６】
レーザビームプリンタ３００は、画像形成部による画像形成動作や、シートの搬送動作を制御する不図示のコントローラを備えており、実施例１〜３に記載の電源装置４００は、例えばコントローラに電力を供給する。また、実施例１〜３に記載の電源装置４００は、感光ドラム３１１を回転するため又はシートを搬送する各種ローラ等を駆動するためのモータ等の駆動部に電力を供給する。即ち、実施例１〜３の負荷Ｌｏａｄは、コントローラや駆動部に相当する。本実施例の画像形成装置の電源装置４００では、はしご状に放電抵抗を接続している。はしご状に接続された放電抵抗のいずれか１本がオープン故障した場合でも、インレットＬ１ｂ，Ｌ２ｂを引き抜いた後にすみやかにインレットＬ１ｂ，Ｌ２ｂ間の電圧を低下させることができる。更に、本実施例の画像形成装置では、電源装置４００の放電抵抗がいずれもオープン故障していない正常状態において、放電抵抗による消費電力を低減することができる。
【００４７】
以上本実施例によれば、画像形成装置に搭載された電源装置の放電抵抗が故障又は異常が発生した場合にも、インレットを引き抜いた後にすみやかに電源供給ライン間の電圧を低下させることができる。
【符号の説明】
【００４８】
Ｃｘ              アクロス・ザ・ライン・コンデンサ
Ｌ１ｂ，Ｌ２ｂ    インレット
Ｒｄ１１、Ｒｄ１２、Ｒｄ２１、Ｒｄ２２  放電抵抗
Ｖａｃ            商用交流電源
【図１】
2014045643.tif 000020
【図２】
2014045643.tif 000021
【図３】
2014045643.tif 000022
【図４】
2014045643.tif 000023
【図５】
2014045643.tif 000024
【図６】
2014045643.tif 000025